(57)【要約】【課題】待機中に電源回路を停止させつつ電源スイッチの長押しによって端末装置を起動すること。【解決手段】電源スイッチがオンされるとハード的に電源回路が起動され、当該電源回路の供給する電力によりＣＰＵを起動し、以降はＣＰＵが電源制御を行う。  ＣＰＵは、起動すると電源スイッチが長押しされるか否かの監視を開始する。そして、ＣＰＵは、電源スイッチが長押しされた場合は携帯端末全体を起動し、電源スイッチが長押しされなかった場合は電源回路をオフにする。  ＣＰＵは、電源スイッチが長押しされている間に電池の残量を確認したり、周辺外光照度を計測して表示部のバックライト点灯有無を判断したり、ＣＰＵクロック速度を設定したりなどの各種処理を行い、電源スイッチ長押し後の携帯端末１の起動を高速化する。【選択図】図２
2008085766.tif 000002
【特許請求の範囲】
【請求項１】
物理的な操作によって接触する接点と、
停止している電源回路を、前記接触した接点の状態を示す信号により起動する電源回路起動手段と、
前記起動した電源回路から供給される電力によって、前記接点の接触が所定時間持続するか否かを監視する監視手段と、
前記監視手段で、前記接点の接触が前記所定時間持続しなかったと確認された場合に、前記電源回路を停止する停止手段と、
を具備したことを特徴とする端末装置。
【請求項２】
前記監視手段は、前記起動した電源回路から供給される電力により駆動されたＣＰＵにおいて、前記接点が接触している時間を計測するプログラムを実行することにより実現することを特徴とする請求項１に記載の端末装置。
【請求項３】
前記監視手段は、前記起動した電源回路から供給される電力により駆動されたＣＰＵで、前記接触した接点を介して電源から供給される電力で動作する所定の電子回路の動作状態を検出するプログラムを実行することにより実現することを特徴とする請求項１に記載の端末装置。
【請求項４】
前記停止手段は、前記起動した電源回路が供給する電力により駆動して前記電源回路を停止することを特徴とする請求項１、請求項２、又は請求項３に記載の端末装置。
【請求項５】
前記電源回路起動手段から供給される電力により、前記所定時間の間は前記端末装置の一部を起動し、前記所定時間経過後は前記端末装置の全体を起動する起動手段を具備したことを特徴とする請求項１から請求項４までのうちの何れか１の請求項に記載の端末装置。
【請求項６】
前記所定時間の間に、前記端末装置の起動状態を設定する起動状態設定手段を具備したことを特徴とする請求項１から請求項５までのうちの何れか１の請求項に記載の端末装置。
【発明の詳細な説明】
【技術分野】
【０００１】
本発明は、端末装置に関し、例えば、電源スイッチを長押しして起動するものに関する。
【背景技術】
【０００２】
モバイル装置などの携帯端末では、単純な機構によるスイッチでのオンオフを行うと、スイッチに触れただけで、誤ってオンしてしまう可能性があるため、操作者が電源スイッチを長押ししたことを検知して操作者の電源オンの意思を確認し、装置を起動することが行われている。
このため、従来の携帯端末では、電源スイッチの長押しを検知するためにＣＰＵ（Ｃｅｎｔｒａｌ  Ｐｒｏｃｅｓｓｉｎｇ  Ｕｎｉｔ）を常時通電状態にしておき、電源スイッチが長押しされたか否かを監視するプログラムが常時動作可能な状態となっていた。
【０００３】
図６を用いて従来の起動方法について説明する。
まず、携帯端末は、電源スイッチが長押しされたか否かを監視するために、電源回路をオンの状態にする必要がある（ステップ５０）。
これによって、ＣＰＵが動作を開始し、電源スイッチの長押し検出待ちを行う（ステップ５５）。電源スイッチがオンにされない場合（ステップ６０；Ｎ）、携帯端末は、ステップ５５に戻り、電源スイッチが長押しされるまで待機することになる。
【０００４】
電源スイッチがオンされると（ステップ６０；Ｙ）、ＣＰＵは、電源スイッチが継続して押されている時間を計測する。
そして、電源スイッチが継続して押されている時間が所定の時間（以下、長押し時間と記す）を経過した場合（ステップ６５；Ｙ）、ＣＰＵは、装置全体を起動する（ステップ７０）。
一方、長押し時間が経過する前に電源スイッチが離された場合（ステップ６５；Ｎ）、ＣＰＵはステップ５５の処理に戻り、再び電源スイッチの監視を開始する。
【０００５】
このように従来の携帯端末は待機中もＣＰＵで電力を消費するが、電力消費を抑えるため、非使用時は完全に電源を切るのが望ましい。
そこで、長押しの検出は行わないものの、待機中に電源を切る技術として次の電源供給回路がある。
この技術は、電源スイッチが押されたことによりＣＰＵを起動するようにし、待機中の電力消費を抑制するものである。
【０００６】
【特許文献１】特開平１０−２０１１１５公報
【発明の開示】
【発明が解決しようとする課題】
【０００７】
電源スイッチが長押しされたか否かをＣＰＵに監視させると、携帯端末を放置しているだけでＣＰＵが電池（バッテリ）の電力を消費してしまっていた。
そのため、携帯端末を使用したい時に電池が放電してしまい、使用することができない可能性があった。
また、特許文献１の技術は、待機中に電力消費が発生しないが、電源スイッチの長押しを検出するものではなく、電源スイッチが押されると端末全体が起動してしまうという問題があった。
【０００８】
そこで、本発明の目的は、待機中に電源回路を停止させつつ電源スイッチの長押しによって端末装置を起動することである。
【課題を解決するための手段】
【０００９】
本発明は、前記目的を達成するために、物理的な操作によって接触する接点と、停止している電源回路を、前記接触した接点の状態を示す信号により起動する電源回路起動手段と、前記起動した電源回路から供給される電力によって、前記接点の接触が所定時間持続するか否かを監視する監視手段と、前記監視手段で、前記接点の接触が前記所定時間持続しなかったと確認された場合に、前記電源回路を停止する停止手段と、を具備したことを特徴とする端末装置（第１の構成）。
第１の構成において、前記監視手段は、前記起動した電源回路から供給される電力により駆動されたＣＰＵにおいて、前記接点が接触している時間を計測するプログラムを実行することにより実現するように構成することもできる（第２の構成）。
第１の構成において、前記監視手段は、前記起動した電源回路から供給される電力により駆動されたＣＰＵで、前記接触した接点を介して電源から供給される電力で動作する所定の電子回路の動作状態を検出するプログラムを実行することにより実現するように構成することもできる（第３の構成）。
第１の構成、第２の構成、又は第３の構成において、前記停止手段は、前記起動した電源回路が供給する電力により駆動して前記電源回路を停止するように構成することもできる（第４の構成）。
第１の構成から第４の構成までのうちの何れか１の構成において、前記電源回路起動手段から供給される電力により、前記所定時間の間は前記端末装置の一部を起動し、前記所定時間経過後は前記端末装置の全体を起動する起動手段を具備するように構成することもできる（第５の構成）。
第１の構成から第５の構成までのうちの何れか１の構成において、前記所定時間の間に、前記端末装置の起動状態を設定する起動状態設定手段を具備するように構成することもできる（第６の構成）。
【発明の効果】
【００１０】
本発明によれば、待機中に電源回路を停止させつつ電源スイッチの長押しによって端末装置を起動することができる。
【発明を実施するための最良の形態】
【００１１】
（１）実施の形態の概要
電源スイッチがオンされるとハード的に電源回路が起動され、当該電源回路の供給する電力によりＣＰＵを起動し、以降はＣＰＵが電源制御を行う。
ＣＰＵは、起動すると電源スイッチが長押しされるか否かの監視を開始する。そして、ＣＰＵは、電源スイッチが長押しされた場合は端末の各ハードの電源オンや初期化等によって携帯端末全体を起動し、電源スイッチが長押しされなかった場合は電源回路をオフにする。
ＣＰＵは、電源スイッチが長押しされている間に電池の残量を確認したり、周辺外光照度を計測して表示部のバックライト点灯有無を判断したり、ＣＰＵのクロック速度を設定したりなどの各種処理を行い、電源スイッチ長押し後の携帯端末１の起動を高速化する。
【００１２】
（２）実施の形態の詳細
図１は、本実施の形態の携帯端末の全体を示した斜視図である。本実施の形態の携帯端末１は、一例として、クレジットカード決済端末とする。
携帯端末１は、縦長の直方体状に形成され、上面には入力部６、及び表示部２４が形成された携帯型の端末装置である。
入力部６には、テンキーや機能キーなどからなるキー５が配置されており、操作者は、キー５によって決済金額やコマンド、その他の情報を入力することができる。
【００１３】
入力部６には、電源スイッチ１３が設けられており、操作者が電源スイッチ１３を長押しすると携帯端末１は起動する。
ここで、長押しとは、操作者が所定の時間に渡って電源スイッチ１３を継続して押し続けることをいうものとする。
そのため、電源スイッチ１３が押されてから所定の時間が経過する前に操作者が電源スイッチ１３を離すと、長押しはされたことにはならず、携帯端末１は起動しない。
なお、本実施の形態では、電源スイッチ１３を押下によりオンオフし、これによって操作者の操作を検知するボタン型としたが、これに限定するものではなく、例えば、トグルスイッチや入力部６のキーを割り当てるなど、操作者の継続した操作が検知できるものであればよい。
【００１４】
表示部２４は、例えば、液晶ディスプレイやプラズマディスプレイなどの表示デバイスによって構成された表示パネル７を備えており、「カードを挿入して下さい」などの操作者に対する操作指示や、決済金額、その他の情報を表示するようになっている。
入力部６の手前側には、磁気カードスロット部２１が形成されている。磁気カードスロット部２１は、磁気ストライプが形成された磁気カードを挿入する溝８が有している。
溝８の内部には、図示しない磁気ヘッドが形成されており、磁気カードを溝８に挿入してスライドさせると、磁気ストライプに記録されたデータが磁気ヘッドによって読み取られる。
【００１５】
携帯端末１の手前端部の下部には、ＩＣカード挿入口１１を有するＩＣカードスロット部２３が形成されている。
ＩＣカードスロット部２３の内部には、図示しない接触端子が設けられており、ＩＣカード挿入口１１から挿入したＩＣカードの接触端子と、ＩＣカードスロット部２３内部の接触端子が接触することにより、携帯端末１とＩＣカードとの間で情報の送受信が行われる。
【００１６】
携帯端末１の右側面には、電池パック取付部１２が形成されている。電池パック取付部１２の内部には、携帯端末１を駆動する電源である電池（バッテリ）が格納され、電池の電極が携帯端末１に接続されている（電池装着手段）。
この電池は、例えば、リチウムイオン電池やニッケル水素電池などの二次電池（充電が可能な電池）などの電池パックによって構成されている。
なお、これは一例であって、例えば、アルカリイオン電池などの一次電池（充電を行わないもの）を用いてもよい。
【００１７】
携帯端末１の奥側端部には、プリンタ部９が形成されている。
プリンタ部９は、開閉可能なペーパーカバー４によって覆われており、内部にはロール状に巻かれた感熱紙が収納されている。
ペーパーカバー４の手前端部には印刷を終えた感熱紙を排出する隙間１０が設けられている。隙間１０の縁には図示しないペーパーカッターが設けられており、操作者が排出された感熱を切断できるようになっている。
ロールから隙間１０に至る感熱紙の経路には、図示しないサーマルヘッドと、感熱紙をフィードするフィード機構が設けられている。
また、図示しないが、携帯端末１には照度センサが設けられており、周辺外光照度を検出できるようになっている。
【００１８】
図２は、携帯端末１のハードウェア的な構成のうち、携帯端末１の全体の起動に関係するものを模式的に示したブロック図である。
携帯端末１は、ＣＰＵ３１に、ＲＡＭ（Ｒａｎｄｏｍ  Ａｃｃｅｓｓ  Ｍｅｍｏｒｙ）３６、ＲＯＭ（Ｒｅａｄ  Ｏｎｌｙ  Ｍｅｍｏｒｙ）３７、照度センサ３８、表示部２４、電源スイッチ検出部３２、電源回路３３、電池電圧監視回路３４などが接続されて構成されている。
【００１９】
ＣＰＵ３１は、プログラムに従って、携帯端末１の起動処理を行うほか、クレジットカード決済など、業務に関する各種の情報処理を行ったり、携帯端末１の各部の動作を制御する中央処理装置である。
ＲＡＭ３６は、読み書きが可能なメモリであって、プログラムやデータを記憶したり、ＣＰＵ３１がプログラムを実行する際のワーキングメモリを提供したりする。
【００２０】
ＲＯＭ３７は、読み込み専用のメモリであって、ＣＰＵ３１で実行する各種プログラムや各種パラメータなどが記憶されている。
この各種プログラムには、例えば、携帯端末１の起動時に電源を制御する電源制御プログラム、ＯＳ（Ｏｐｅｒａｔｉｎｇ  Ｓｙｓｔｅｍ）、クレジットカード決済などの業務処理を行う業務プログラムなどがある。
照度センサ３８は、周辺外光照度を検出するセンサであり、検出した照度をＣＰＵ３１に通知する。ＣＰＵ３１は、この照度によって表示部２４のバックライトの有無を判断する。
【００２１】
電源スイッチ検出部３２は、電源スイッチ１３がオンされると、電源回路３３に起動信号（以下、ＲＥＧＯＮ信号と記す）を出力して電源回路３３を起動すると共に、電源スイッチ１３がオンになっていることをＣＰＵ３１が監視するための監視信号（以下、ＰＷＳＷＸ信号信号と記す）をＣＰＵ３１に出力する。
電源スイッチ検出部３２は、電源スイッチ１３がオンとなって電源回路３３にＲＥＧＯＮ信号を出力すると、操作者が電源スイッチ１３をオフとしても電源回路３３にＲＥＧＯＮ信号を出力し続ける。
一方、電源スイッチ検出部３２は、電源スイッチ１３がオンとなっている間だけＰＷＳＷＸ信号をＣＰＵ３１に出力する。そのため、ＣＰＵ３１は、ＰＷＳＷＸ信号によって操作者が電源スイッチ１３をオンし続けているか否かを監視することができる。
【００２２】
電源回路３３は、携帯端末１を使用しない時は完全に停止しており、電池の電力を消費しない。
そして、電源回路３３は、ＲＥＧＯＮ信号が入力されると起動し、ＣＰＵ３１やその他の部分に対する電力供給を開始する。電力源としては電池パック取付部１２に取り付けられた電池が用いられる。
また、電源スイッチ検出部３２は、ＣＰＵ３１からＰＯＷＥＲＯＦＦ信号を受信するとＲＥＧＯＮ信号の出力を停止し、電源回路３３の電力の供給を終了する。
【００２３】
電池電圧監視回路３４は、図示しない電池の電圧を計測することにより電池残量を検出し、ＣＰＵ３１に通知する。ＣＰＵ３１は、この電池残量によりＣＰＵのクロック速度を設定することができる。
電池電圧監視回路３４は、電源スイッチ１３が長押しされている時間を利用してＣＰＵ３１に通知するようになっており、これによって長押し後の携帯端末１の起動を高速化が図られている。
【００２４】
ＣＰＵ３１は、電源回路３３が電力供給を開始すると、この電力によって起動し、電源制御プログラムを実行する。
電源制御プログラムは、電源スイッチ１３の長押しを監視し、電源スイッチ１３が長押しされた場合は携帯端末１全体を起動し、長押しされなかった場合は電源回路３３をオフにする機能をＣＰＵ３１に実現させるためのプログラムである。
【００２５】
ＣＰＵ３１は、電源制御プログラムを実行すると、電源スイッチ検出部３２からのＰＷＳＷＸ信号の監視を開始する。
ＣＰＵ３１は、電源スイッチ検出部３２からＰＷＳＷＸ信号が電源スイッチ検出部３２から持続して出力される時間を内部クロックなどにより計測し、ＰＷＳＷＸ信号信号が長押し時間（例えば２秒）以上出力されるか否かを確認する。
【００２６】
ＣＰＵ３１は、ＰＷＳＷＸ信号が長押し時間以上出力されている場合は電源スイッチ１３が長押しされたと判断し、長押し時間に達する前にＰＷＳＷＸ信号の出力が停止した場合は電源スイッチ１３が長押しされなかったと判断する。
このように、ＣＰＵ３１は、起動した電源回路３３から供給される電力によって、後述の接点４２の接触が所定時間持続するか否かを監視する監視手段として機能しており、更に、この監視手段は、起動した電源回路３３から供給される電力により駆動されたＣＰＵ３１において、接点４２が接触している時間を計測する電源制御プログラムを実行することにより実現されている。
【００２７】
ＣＰＵ３１は、電源スイッチ１３が長押しされたと判断した場合は、携帯端末１の全体を起動し、電源スイッチ１３が長押しされなかったと判断した場合は、電源スイッチ検出部３２に電源回路停止信号（以下、ＰＯＷＥＲＯＦＦ信号と記す）を出力して電源回路３３を停止させる。
このように、携帯端末１では、電源スイッチ１３が長押しによってオンされるとハード的に電源回路３３が起動され、当該電源回路３３の供給する電力によりＣＰＵ３１を起動し、以降はＣＰＵ３１が電源制御を行う。
【００２８】
また、ＣＰＵ３１は、電源スイッチ１３の長押しを監視している時間を利用して、携帯端末１の動作設定を行う。
例えば、ＣＰＵ３１は、長押し待ち時間を利用して、電池電圧監視回路３４によって電池の残量を電圧にて計測し、携帯端末１を起動するのに必要な残量があるか否かを判断する。
電池の電圧が動作可能電圧以上の場合は起動処理を継続し、動作可能電圧未満の場合は、電源スイッチ検出部３２から送信されてくるＰＷＳＷＸ信号に関わらず、電源回路３３にＰＯＷＥＲＯＦＦ信号を送信して電源回路３３を停止させる。
【００２９】
ＣＰＵ３１は、電源回路３３を停止させる前に、「充電して下さい」などのメッセージを表示部２４に表示したり、あるいは内蔵のブザーから警告音を発するなどして、電池残量が足りないことを操作者に知らせる。
また、ＣＰＵ３１は、電池の残量に応じてＣＰＵ３１の動作クロック速度を変更することもできる。電池の残量が少ない場合は、クロック速度を低速にすることにより、電池の消費速度を低下させることができる。
【００３０】
更に、ＣＰＵ３１は、長押し待ち時間を利用して、照度センサ３８で周辺外光照度を計測し、計測値により表示部２４を制御してバックライト点灯時の輝度を切り替える。
即ち、周辺外光照度が高い場合（携帯端末１が明るいところにある場合）バックライトをオフにしたり、あるいは輝度を低くしたりし、周辺外光照度が低い場合はバックライトの輝度を高くする。
このように、バックライトの輝度を制御することにより、不要の輝度にて表示部２４を駆動することを防止し、電池の消耗を抑制することができる。
このように、長押し待ち時間に各種動作設定を行うことにより、長押し確認後の携帯端末１の起動を高速化することができる。
このように、ＣＰＵ３１は、所定時間（長押し待ち時間）の間に、携帯端末１の起動状態（クロック周波数、バックライトの輝度など）を設定する起動状態設定手段として機能している。
【００３１】
図３は、電源スイッチ検出部３２の構成の一例を示したブロック図である。
電源スイッチ検出部３２は、電源スイッチ検出用電源４１、接点４２、ＮＡＮＤ素子４３、４４などを用いて構成されている。
電源スイッチ検出用電源４１は、電源スイッチ検出部３２を駆動するための電源であって電池から電力をＮＡＮＤ素子４３やＮＡＮＤ素子４４などに供給する。
電源スイッチ検出用電源４１に電力を供給する電池は電源回路３３に電力を供給する電池と共通としてもよいし、あるいは別の副電池としてもよい。
【００３２】
接点４２は、機械的な構造によって電源スイッチ１３と物理的に連動しており、操作者が電源スイッチ１３を押下するなどしてオンしている間は接触し、操作者が電源スイッチ１３を離すなどしてオフすると接触が解除されるようになっている。このように、接点４２は、物理的な操作によって接触する接点として機能している。
接点４２の一端側は電源スイッチ検出用電源４１に接続しており、他端側はＮＡＮＤ素子４３の入力端子、及びＰＷＳＷＸ信号ラインに接続している。図示しないが、ＰＷＳＷＸ信号ラインはＣＰＵ３１に接続している。
【００３３】
操作者が電源スイッチ１３をオンにして接点４２が接触すると、電源スイッチ検出用電源４１の電圧がＮＡＮＤ素子４３に伝達されると共に、ＰＷＳＷＸ信号ラインのＰＷＳＷＸ信号もオンになる。
ＰＷＳＷＸ信号ラインは、接点４２の接触・非接触により電源スイッチ検出用電源４１と接続、非接続となるため、接点４２が接触している間だけオンとなる。
【００３４】
ＮＡＮＤ素子４３の入力端子は接点４２の他端側が接続しており、ＮＡＮＤ素子４４の入力端子はＰＯＷＥＲＯＦＦ信号ラインが接続している。
また、ＮＡＮＤ素子４３の出力はＮＡＮＤ素子４４に入力され、ＮＡＮＤ素子４４の出力はＮＡＮＤ素子４３に入力されている。そして、ＮＡＮＤ素子４３の出力端子はＲＥＧＯＮ信号ラインに接続している。
【００３５】
このように、ＮＡＮＤ素子４３とＮＡＮＤ素子４４は、所謂ＲＳラッチを構成していおり、ＮＡＮＤ素子４３の入力端子がＳＥＴに対応し、ＮＡＮＤ素子４４の入力端子がＲＥＳＥＴに対応している。
そして、接点４２が接触してＲＥＧＯＮ信号がオンすると、接点４２の接触が解除されたとしてもＲＥＧＯＮ信号がオンの状態が継続する。
一方、接点４２の接触が解除され、これをＣＰＵ３１が検知してＰＯＷＥＲＯＦＦ信号が入力されると、ＲＥＧＯＮ信号はオフとなる。
【００３６】
このように電源スイッチ検出部３２は、停止している電源回路３３を、接触した接点４２を介して電源スイッチ検出用電源４１から供給される電力により起動する電源回路起動手段として機能している。
なお、電源スイッチ検出用電源４１から供給される電力は、接触した接点４２の状態を示す信号として機能している。
そして、ＣＰＵ３１は、接点４２の接触が所定時間（長押し時間）持続しなかったと確認された場合に、電源回路３３を停止する停止手段として機能し、この停止手段は、起動した電源回路３３が供給する電力により駆動して電源回路３３を停止している。
以上のように、電源スイッチ検出部３２は、電源回路３３を起動することができ、起動した電源回路３３によって駆動するＣＰＵ３１により携帯端末１の起動制御を行うことができる。
【００３７】
以上に説明した本実施の形態では、ＣＰＵ３１は、電源スイッチ１３の長押し時間を内部クロックで計測したが、このようにソフトウェアによって計測するほかにハードウェアで計測する変形例も可能である。
例えば、図４に示したように、抵抗と容量を並列に接続したＣＲ回路によって遅延回路４７を構成してＰＷＳＷＸ信号を遅延させた遅延信号（以下、ＰＷＳＷＯＮ信号と記す）を生成する。
【００３８】
そして、ＣＰＵ３１は、ＰＷＳＷＸ信号とＰＷＳＷＯＮ信号を監視することにより電源スイッチ１３が長押しされたか否かを監視する。
図の例では、ＣＰＵ３１は、ＰＷＳＷＸ信号が１（ここでは負論理を採用し、接点４２が接触したことを示す）であることを検出した後、ＰＷＳＷＯＮ信号が０であること（ＰＷＳＷＸ信号はインバータで反転するので遅延して１から０に変化する）を検出した場合、電源スイッチ１３が長押しされたと判断して携帯端末１を起動する。
そして、ＣＰＵ３１は、ＰＷＳＷＯＮ信号が０であることを検出する前（即ち、１から０に反転する前に）にＰＷＳＷＸ信号が０（接点４２の接触が解除されたことを示す）であることを検出した場合、電源スイッチ１３が長押しされなかったと判断して電源回路３３を停止する。
【００３９】
このように遅延回路４７での遅延時間を長押し時間に対応させることによりハードウェア的に操作者の長押し動作を検出することもできる。
この他に、ＲＴＣなどの低速クロックが使用可能であれば、カウンタを構成して長押し検出回路を構成することも可能である。
【００４０】
以上のように、前記起動した電源回路３３から供給される電力により駆動されたＣＰＵ３１は、接触した接点４２を介して電源スイッチ検出用電源４１から供給される電力で動作する所定の電子回路（遅延回路４７）の動作状態を検出するプログラムを実行することにより、電源スイッチ１３の長押しを監視する監視手段として機能する。
【００４１】
次に、図５を用いて携帯端末１を起動する手順について説明する。
まず、携帯端末１が電源スイッチ１３が操作者によって操作されていない場合、携帯端末１は、特に動作を行わない（ステップ５；Ｎ）。そして、携帯端末１は、ステップ５を繰り返し、電源スイッチ１３がオンされるまで待機する。
電源スイッチ１３が操作者によって押下されると（ステップ５；Ｙ）、接点４２が接触し、電源スイッチ検出部３２は、電源回路３３にＲＥＧＯＮ信号を出力して電源回路３３を起動する。また、電源スイッチ検出部３２は、ＣＰＵ３１にＰＷＳＷＸ信号を出力する（ステップ１０）。
【００４２】
電源回路３３が起動すると電源回路３３の供給する電力によりＣＰＵ３１が起動する。
ＣＰＵ３１は、クロック発信が安定する安定時間が経過していない場合は（ステップ１５；Ｎ）、クロック発信が安定するまで待機する。
クロック発信が安定するとＣＰＵ３１は、ＲＯＭ３７に記憶されている電源制御プログラムに従って動作を開始する（ステップ２０）。
【００４３】
ＣＰＵ３１は、電源スイッチ検出部３２が出力するＰＷＳＷＸ信号が持続する時間の計測を開始すると共に、電池電圧監視回路３４による電池の残量確認、照度センサ３８による周辺外光照度の計測など、携帯端末１の起動に必要な各種状況判断を行う（ステップ２５）。
なお、電源スイッチ１３の長押しが確認できるまでは、ＣＰＵ３１は、画面表示、ブザー音など、操作者に電源オンを伝えるような動作は行わない。このような動作を行うと、携帯端末１が起動したものと操作者が誤認し、長押しを中断する場合があるからである。
【００４４】
ＣＰＵ３１は、ＰＷＳＷＸ信号により電源スイッチ１３がオンの状態に長押しされているか否かを確認し（ステップ３０）、電源スイッチ１３がオンでない場合は（ステップ３０；Ｎ）、電源回路３３にＰＯＷＥＲＯＦＦ信号を送信して電源回路３３をオフにする（ステップ４０）。この場合、操作者には電源が一度入ったことは気づかれない。
電源スイッチ１３がオンであった場合（ステップ３０；Ｙ）、ＣＰＵ３１は、ＰＷＳＷＸ信号が出力されている時間の計測を開始してから長押し時間が経過したか否かを判断する（ステップ３５）。
【００４５】
長押し時間が経過していない場合（ステップ３５；Ｎ）、ＣＰＵ３１は、ステップ２５の処理に戻り、各種状況判断を行う。又は、状況判断を省略してステップ３０に処理を移行してもよい。
長押し時間が経過している場合（ステップ３５；Ｙ）、ＣＰＵ３１は、携帯端末１全体を起動する（ステップ４５）。
この際、携帯端末１は、動作クロック速度、バックライトの輝度などをステップ２５の状況判断に基づいて設定する。
携帯端末１は、全体が起動して初めて、画面表示、ブザー音など、操作者に電源オンを伝えるような動作を開始する。
このように、ＣＰＵ３１は、電源回路３３から供給される電力により、所定時間（長押し時間）の間は携帯端末１の一部（ＣＰＵ３１による起動制御機能）を起動し、所定時間経過後は携帯端末１の全体を起動する起動手段としての機能を備えている。
【００４６】
以上に説明したように、携帯端末１では、電源オフ状態で操作者が電源スイッチ１３を操作してオンにすると直ちにＲＥＧＯＮ信号が１になり、電源回路３３をハードウェア的にオンする。
電源回路３３がオンの状態で操作者が電源スイッチ１３を操作してオフにした場合、電源スイッチ１３のオフ状態はＰＷＳＷＸ信号によりＣＰＵ３１へ伝達されるが、ＲＥＧＯＮ信号は１に保持され、電源回路３３はオンの状態が保持される。
この状態ではＣＰＵ３１から送られるＰＯＷＥＲＯＦＦ信号により電源回路３３をオフすることができる。
【００４７】
本実施の形態により次のような効果を得ることができる。
（１）使用しない時は、電源スイッチ検出部３２の電源スイッチ検出ロジックのみ電源スイッチ検出用電源４１によって電源が入っているがＣＰＵ３１は完全に電源オフであり、消費電流は極微量（１［μＡ］にも満たない）である。
（２）電源スイッチ１３のオンによってＣＰＵ３１の動作を開始させ、電源スイッチ１３の長押しを監視させることができる。
【００４８】
（３）電源スイッチ１３の操作と同時に電源回路３３をオンにし、水晶発振安定時間やＣＰＵ３１の初期起動処理などを電源スイッチ１３の長押し待ち時間中に並行して実施してしまうので、長押し検出後の処理時間が短縮され、操作者には携帯端末１の応答性がよく感じられる。
（４）電池残量の確認結果や周辺外光照度の確認結果などによってＣＰＵ３１や周辺デバイスの電源オン制御方法を変えるので携帯端末１の使用可能時間をより長くすることができる。
（５）電源スイッチ１３は、電源回路３３を直接オンオフしないので、特別な電源スイッチである必要はなく、単純なスイッチやキーの１つを割り当てるだけで構成することができる。
【００４９】
本実施の形態の携帯端末１はクレジットカード決済端末としたが、これは電源スイッチ検出部３２の実装先を限定するものではなく、例えば、携帯電話、ＰＤＡ（Ｐｅｒｓｏｎａｌ  Ｄｉｇｉｔａｌ  Ａｓｓｉｓｔａｎｔ）、ページャ（呼び出しベル）、携帯オーディオプレーヤ、携帯テレビ・ラジオ、携帯無線通信機といった、各種の携帯電気機器や、据え置き型のテレビ、ステレオ、パーソナルコンピュータなど家電製品に適用することもできる。
【図面の簡単な説明】
【００５０】
【図１】本実施の形態の携帯端末の全体を示した斜視図である。
【図２】携帯端末のハードウェア的な構成を説明するためのブロック図である。
【図３】電源スイッチ検出部の構成の一例を示したブロック図である。
【図４】長押し時間をハードウェアによって計測する例を説明するための図である。
【図５】携帯端末を起動する手順を説明するためのフローチャートである。
【図６】従来例を説明するためのフローチャートである。
【符号の説明】
【００５１】
１  携帯端末
１３  電源スイッチ
２４  表示部
３１  ＣＰＵ
３２  電源スイッチ検出部
３３  電源回路
３４  電池電圧監視回路
３６  ＲＡＭ
３７  ＲＯＭ
３８  照度センサ
４１  電源スイッチ検出用電源
４２  接点
４３  ＮＡＮＤ素子
４４  ＮＡＮＤ素子
４７  遅延回路
【図１】
2008085766.tif 000003
【図２】
2008085766.tif 000004
【図３】
2008085766.tif 000005
【図４】
2008085766.tif 000006
【図５】
2008085766.tif 000007
【図６】
2008085766.tif 000008